(57)【要約】【課題】一枚の絆創膏であっても様々な指の太さに対応できる絆創膏を提供する。【解決手段】一面に接着面１を配する粘着テープ２と、該粘着テープ２の長手方向の両側に側方接着面を配するように粘着テープ２の接着面に取り付けられるパッド３とを備える絆創膏であって、  前記粘着テープ２の長手方向の両側における少なくとも一方に、粘着テープ２の一側部を切り取って側方接着面の長さを調整し得る切り目６ａ，６ｂが形成される。【選択図】図４
2018027175.tif 000002
【特許請求の範囲】
【請求項１】
一面に接着面を配する粘着テープと、該粘着テープの長手方向の両側に側方接着面を配するように粘着テープの接着面に取り付けられるパッドとを備える絆創膏であって、
前記粘着テープの長手方向における両側の少なくとも一方に、粘着テープの一側部を切り取って側方接着面の長さを調整し得る切り目が形成されたことを特徴とする絆創膏。
【請求項２】
側方接着面の長さを複数から選択し得るよう切り目が複数形成されたことを特徴とする請求項１に記載の絆創膏。
【請求項３】
切り目は、一つの側方接着面または両方の側方接着面に形成されたことを特徴とする請求項１または２に記載の絆創膏。
【請求項４】
切り目は、側方接着面にパッドの周囲部を接着可能にする長さを残すようパッドに隣接して配される第一の切り目と、第一の切り目と同じ側方接着面に位置し且つ第一の切り目よりもパッドから離間する位置にある第二の切り目とを備えたことを特徴とする請求項１〜３のいずれか１つに記載の絆創膏。
【請求項５】
粘着テープの側方接着面を剥離可能に被覆するセパレータを備え、粘着テープの一側部を切り取る際にセパレータの一側部を切り取るようセパレータに切り目を備えたことを特徴とする請求項１〜４のいずれか１つに記載の絆創膏。
【請求項６】
セパレータは、一方の側方接着面を被覆する第一のセパレータと、他方の側方接着面を被覆し且つ貼付時に最初に剥離する第二のセパレータとを備え、
切り目は、第二のセパレータを配する側方接着面に形成されたことを特徴とする請求項５に記載の絆創膏。
【発明の詳細な説明】
【技術分野】
【０００１】
本発明は、絆創膏に関するものである。
【背景技術】
【０００２】
一般に絆創膏は、接着面を配した粘着テープにパッドを備えている。また粘着テープの接着面には、中央から一端までを剥離可能に被覆する第一のセパレータと、中央から他端までを剥離可能に被覆する第二のセパレータを備えている。
【０００３】
絆創膏を使用する際には、粘着テープから第一のセパレータ及び第二のセパレータを剥離し、粘着テープを適用箇所に貼付する。
【０００４】
ここで、絆創膏の長手方向の長さは、絆創膏を指に巻き付けた際に男性の親指の太さに対応できるものをスタンダードサイズとしている。
【０００５】
なお、本発明に関連する先行技術文献情報としては、例えば、下記の特許文献１等が既に存在している。
【先行技術文献】
【特許文献】
【０００６】
【特許文献１】特開２００９−１３６５５７号公報
【発明の概要】
【発明が解決しようとする課題】
【０００７】
しかしながら、絆創膏のスタンダードサイズでは、女性の人差し指から小指までの太さや、子供の指の太さに対して長すぎるため、粘着テープに余分な部分を生じ、粘着テープの余分な部分の巻き付けに手間がかかると共に、粘着テープの余分な部分によりゴワゴワ感が残るという問題があった。また絆創膏の商品箱に様々なサイズの絆創膏を備える場合には、様々なサイズをバランス良く使用することができず、サイズの合わない絆創膏が残るという問題があった。
【０００８】
本発明は、斯かる実情に鑑み、一枚の絆創膏であっても様々な指の太さに対応できる絆創膏を提供しようとするものである。
【課題を解決するための手段】
【０００９】
本発明の絆創膏は、一面に接着面を配する粘着テープと、該粘着テープの長手方向の両側に側方接着面を配するように粘着テープの接着面に取り付けられるパッドとを備える絆創膏であって、
前記粘着テープの長手方向の両側における少なくとも一方に、粘着テープの一側部を切り取って側方接着面の長さを調整し得る切り目が形成されるものである。
【００１０】
また、本発明の絆創膏において、側方接着面の長さを複数から選択し得るよう切り目が複数形成されることが好ましい。
【００１１】
また、本発明の絆創膏において、切り目は、一つの側方接着面または両方の側方接着面に形成されることが好ましい。
【００１２】
また、本発明の絆創膏において、切り目は、側方接着面にパッドの周囲部を接着可能にする長さを残すようパッドに隣接して配される第一の切り目と、第一の切り目と同じ側方接着面に位置し且つ第一の切り目よりもパッドから離間する位置にある第二の切り目とを備えることが好ましい。
【００１３】
また、本発明の絆創膏において、粘着テープの側方接着面を剥離可能に被覆するセパレータを備え、粘着テープの一側部を切り取る際にセパレータの一側部を切り取るようセパレータに切り目を備えることが好ましい。
【００１４】
また、本発明の絆創膏において、セパレータは、一方の側方接着面を被覆する第一のセパレータと、他方の側方接着面を被覆し且つ貼付時に最初に剥離する第二のセパレータとを備え、
切り目は、第二のセパレータを配する側方接着面に形成されることが好ましい
【発明の効果】
【００１５】
本発明の絆創膏によれば、一枚の絆創膏であっても様々な指の太さに対応できるという優れた効果を奏し得る。
【図面の簡単な説明】
【００１６】
【図１】本発明の絆創膏における第一例の粘着テープの表面側を示す平面図である。
【図２】本発明の絆創膏における第一例の粘着テープの裏面側を示す平面図である。
【図３】本発明の絆創膏における第一例のセパレータを示す平面図である。
【図４】本発明の絆創膏である第一例の粘着テープ、第一のセパレータ、第二のセパレータの大きさや位置関係を示す概念図である。
【図５】第一例の粘着テープの裏面側であって切り目の形状を変更した他例を示す平面図である。
【図６】第一例の粘着テープの裏面側であって切り目の個数を変更した別例を示す平面図である。
【図７】切り目により粘着テープの一側部を切り取る前の状態を示す概念図である。
【図８】切り目により粘着テープの一側部を切り取った後の状態を示す概念図である。
【図９】長さを調整した側方接着面を指に貼付した状態を示す概念図である。
【図１０】第一のセパレータを剥離する状態を示す概念図である。
【図１１】長さを調整した他方の側方接着面を指に貼付した後、一方の側方接着面を巻き付けた状態を示す概念図である。
【図１２】本発明の絆創膏における第二例の粘着テープの表面側を示す平面図である。
【図１３】本発明の絆創膏における第二例の粘着テープの裏面側を示す平面図である。
【図１４】本発明の絆創膏における第二例のセパレータを示す平面図である。
【図１５】本発明の絆創膏である第二例の粘着テープ、第一のセパレータ、第二のセパレータの大きさや位置関係を示す概念図である。
【発明を実施するための形態】
【００１７】
以下、本発明の実施の形態の第一例を図１〜図６を参照して説明する。
【００１８】
実施の形態の第一例である絆創膏は、一面に接着面１を配する粘着テープ２と、粘着テープ２の接着面１に取り付けられるパッド３と、粘着テープ２の接着面１を剥離可能に被覆する第一のセパレータ４及び第二のセパレータ５とを備えている。
【００１９】
粘着テープ２は、ポリウレタン、塩化ビニル、ポリオレフィン、ポリエステル等の樹脂によりシート状に形成され、肌色や無色等となっている。また粘着テープ２は、指等に巻き付け可能になるように長手方向に沿って所定の長さを備えていると共に、長手方向の両端（図１では左右両側）を外方へ凸状となった円弧に形成している。更に粘着テープ２は、表面側に対して裏面（一面）に接着面１を配している。
【００２０】
粘着テープ２の接着面１は、アクリル系粘着剤、ゴム系粘着剤、シリコーン系粘着剤等により形成されている。また粘着テープ２の接着面１には、粘着テープ２の長手方向の中央にパッド３を備え、粘着テープ２の長手方向の両側に側方接着面１ａ，１ｂを配するようにしている。ここでパッド３の位置は、粘着テープ２の長手方向の両側に側方接着面１ａ，１ｂを配するものならば、他の位置でも良い。
【００２１】
パッド３は、不織布等により所定の厚みに形成されていると共に、粘着テープ２の裏面側から見て長方形に形成されている。
【００２２】
パッド３を備える粘着テープ２の裏面（一面）には、接着面１及びパッド３を剥離可能に被覆する紙等のセパレータを備えている。セパレータは、一方の側方接着面１ａを被覆するようパッド３の略中央から粘着テープ２の長手方向の一端までを剥離可能に被覆する第一のセパレータ４と、他方の側方接着面１ｂを被覆するようパッド３の略中央から粘着テープ２の長手方向の他端までを剥離可能に被覆する第二のセパレータ５とを備えている。
【００２３】
第一のセパレータ４は、図４に示すごとく中央寄り端部で折り返された摘まみ部４ａを備えており、第二のセパレータ５は、第一のセパレータ４の摘まみ部４ａを覆う延在部５ａを備え、第一のセパレータ４及び第二のセパレータ５を剥離する際には、最初に第二のセパレータ５を剥離し、次に第一のセパレータ４を剥離するようになっている。
【００２４】
粘着テープ２の一側部及び第二のセパレータ５には、他方の側方接着面１ｂの領域に位置する複数の切り目６が形成されている。複数の切り目６は、ミシン目により形成されていると共に、粘着テープ２の長手方向に対して略垂直に形成される直線部分と、切り取り時に両端に角が残らないよう直線部分の両側に位置する円弧部とを備えている。また切り目６は、側方接着面１ｂにパッド３の周囲部を接着可能にする長さを残すようパッド３に隣接して配される第一の切り目６ａと、第一の切り目６ａと同じ側方接着面１ｂの領域に位置し且つ第一の切り目６ａよりもパッド３から離間する位置にある第二の切り目６ｂとを備えている。また第一の切り目６ａと第二の切り目６ｂは平行に配置されている。更に第一の切り目６ａの位置は、粘着テープ２の長手方向の長さＬに対し、切り目のない一方の側方接着面１ａの一端から６６％から７４％までの長さＣ１を有する範囲に位置している。また第二の切り目６ｂの位置は、粘着テープ２の長手方向の長さＬに対し、切り目のない一方の側方接着面１ａの一端から７６％から８４％までの長さＣ２を有する範囲に位置している。更に粘着テープ２の切り目６ａ，６ｂ及び第二のセパレータ５の切り目６ａ，６ｂは、製造時の切り込みにより同じ位置に形成されている。
【００２５】
ここで切り目６は、ミシン目に限定されるものでなく、切り取り可能ならばドットや他の形状の切り目でも良いし、材質により一方向に切断できるものでも良い。また切り目６は、粘着テープ２の長手方向に対し、略垂直に切断するならば図５に示すごとく円弧部分のない直線部分のみでも良いし、斜め方向に切断するものでも良い。また切り目６は、他方の側方接着面１ｂの領域に１つ形成されても良いし、図６に示すごとく３つ以上（図６では３つ）形成されても良い。更に切り目６は、目印となるようにラインを引いても良いし、セパレータ等に「女性の小指用の切り目」等の記載を追加しても良い。
【００２６】
以下、実施の形態の第一例である絆創膏の使用方法を説明する。なお、図７〜図１１は第一例の絆創膏を使用する手順を示している。
【００２７】
絆創膏を、女性の人差し指、中指、薬指、小指や、子供の指に対して使用する際には、最初に、側方接着面１ｂの長さを複数から選択するように所望の切り目６ａ（６ｂ）を選び、片手で粘着テープ２の一側部、第二のセパレータ５を挟み込むと共に、他の片手で粘着テープ２の残りと第二のセパレータ５の残りを挟み込み、両者をしっかり押さえながら引っ張り、所望の切り目６ａ（６ｂ）を切断して側方接着面１ｂの長さを調整する。
【００２８】
次に、パッド３を備えた粘着テープ２を貼付可能にするように、第二のセパレータ５の延在部５ａを摘まんで第二のセパレータ５を粘着テープ２から剥離し、粘着テープ２の他方の側方接着面１ｂを露出させる。続いて女性の人差し指等の所定箇所に粘着テープ２の側方接着面１ｂを貼付する。更に第一のセパレータ４の摘まみ部４ａを摘まんで第一のセパレータ４を粘着テープ２から剥離し、粘着テープ２の一方の側方接着面１ａを露出させる。そして粘着テープ２を巻き付ける。ここで、第一の切り目６ａから一方の側方接着面１ａまでの長さＣ１は、粘着テープ２を巻き付けた際に、女性の小指や子供の指の太さに最適な長さとなっている。また第二の切り目６ｂから一方の側方接着面１ａまでの長さＣ２は、粘着テープ２を巻き付けた際に、女性の人差し指から薬指までの指の太さに最適な長さとなっている。
【００２９】
而して、このように実施の形態の第一例によれば、一枚の絆創膏であっても、切り目６により粘着テープ２の一側部を切り取って側方接着面１ｂの長さを調整するので、男性の親指の太さのみならず、女性の人差し指から小指までの太さまたは子供の指の太さ等のような様々な指の太さに対応することができる。また切り目６により粘着テープ２の一側部を切り取って粘着テープ２の余分な部分をなくすので、粘着テープ２を女性の人差し指等に巻き付ける際の手間を減らして容易に貼付することができると共に、粘着テープ２の余分な部分によるゴワゴワ感を解消することができる。
【００３０】
更に一枚の絆創膏で様々なサイズに調整可能となるので、絆創膏の商品箱に様々なサイズの絆創膏を備える必要がなく、またサイズの合わない絆創膏が残るという問題を解消することができる。
【００３１】
また実施の形態の第一例において、側方接着面１ｂの長さを複数から選択し得るよう切り目６が複数形成されると、一枚の絆創膏であっても、複数の切り目６により側方接着面１ｂの長さを様々に調整するので、様々な指の太さに容易に対応することができる。
【００３２】
また実施の形態の第一例において、切り目６は、一つの側方接着面１ｂに形成されると、粘着テープ２の一側部を切り取る作業を片側のみにするので、粘着テープ２の両側を切り取る場合に比べて手間を低減し、様々な指の太さに適切に対応することができる。
【００３３】
また実施の形態の第一例において、切り目６は、他方の側方接着面１ｂにパッド３の周囲部を接着可能にする長さを残すようパッド３に隣接して配される第一の切り目６ａと、第一の切り目６ａと同じ側方接着面１ｂに位置し且つ第一の切り目６ａよりもパッド３から離間する位置にある第二の切り目６ｂとを備えると、第一の切り目６ａと、第二の切り目６ｂにより、様々な指の太さに一層容易に対応することができる。
【００３４】
また実施の形態の第一例において、粘着テープ２の側方接着面１ａ，１ｂを剥離可能に被覆するセパレータ４，５を備え、粘着テープ２の一側部を切り取る際にセパレータ５の一側部を切り取るようセパレータ５に切り目６ａ，６ｂを備えると、側方接着面１ａ，１ｂに触れることなく、粘着テープ２の一側部を切り取ることができる。
【００３５】
また実施の形態の第一例において、セパレータ４，５は、一方の側方接着面１ａを被覆する第一のセパレータ４と、他方の側方接着面１ｂを被覆し且つ貼付時に最初に剥離する第二のセパレータ５とを備え、切り目６ａ，６ｂは、第二のセパレータ５を配する側方接着面１ｂに形成されると、長さが調整された他方の側方接着面１ｂを、第二のセパレータ５により最初に露出させるので、長さが調整された他方の側方接着面１ｂを指に先に貼付し、次に所定の長さを有する一方の側方接着面１ａを巻き付け、ゴワゴワ感を解消すると同時に、他方の側方接着面１ｂを一方の側方接着面１ａにより外側から押え込み、貼付の状態を安定して維持することができる。
【００３６】
以下、本発明の実施の形態の第二例を図１２〜図１５を参照して説明する。
【００３７】
実施の形態の第二例である絆創膏は、切り目の構成を変更したものである。粘着テープ２、パッド３、第一のセパレータ４、第二のセパレータ５は第一例と同様に構成されており、第一例と同じ符号を付したものは同じ構成を示している。
【００３８】
粘着テープ２の一側部及び第二のセパレータ５には、第一例と同様に他方の側方接着面１ｂの領域に位置する複数の切り目６が形成されている。
【００３９】
粘着テープ２の他の一側部及び第一のセパレータ４には、一方の側方接着面１ａの領域に位置する複数の切り目６'が形成されている。複数の切り目６'は、ミシン目により形成されていると共に、粘着テープ２の長手方向に対して略垂直に形成される直線部分と、切り取り時に両端に角が残らないよう直線部分の両側に位置する円弧部とを備えている。また切り目６'は、側方接着面１ａにパッド３の周囲部を接着可能にする長さを残すようパッド３に隣接して配される第一の切り目６ａ'と、第一の切り目６ａ'と同じ側方接着面１ａの領域に位置し且つ第一の切り目６ａ'よりもパッド３から離間する位置にある第二の切り目６ｂ'とを備えている。また第一の切り目６ａ'と第二の切り目６ｂ'は平行に配置されている。更に第一の切り目６ａ'の位置は、図１５に示すごとく粘着テープ２の長手方向の長さＬに対し、他方の側方接着面１ｂの一端から６６％から７４％までの長さＣ１'を有する範囲に位置している。また第二の切り目６ｂの位置は、粘着テープ２の長手方向の長さＬに対し、他方の側方接着面１ｂの一端から７６％から８４％までの長さＣ２'を有する範囲に位置している。更に粘着テープ２の切り目６ａ'，６ｂ'、第一のセパレータ４の切り目６ａ'，６ｂ'は、製造時の切り込みにより同じ位置に形成されている。
【００４０】
ここで切り目６，６'は、ミシン目に限定されるものでなく、切り取り可能ならばドットや他の形状の切り目でも良いし、材質により一方向に切断できるものでも良い。また切り目６，６'は、粘着テープ２の長手方向に対し、略垂直に切断するならば円弧部分のない直線部分のみでも良いし、斜め方向に切断するものでも良い。また切り目６，６'は、他方の側方接着面１ｂの領域または一方の側方接着面１ａの領域に１つ形成されても良いし、３つ以上形成されても良い。更に切り目６，６'は、目印となるようにラインを引いても良いし、セパレータ等に「女性の小指用の切り目」等の記載を追加しても良い。
【００４１】
以下、実施の形態の第二例である絆創膏の使用方法を説明する。
【００４２】
絆創膏を、女性の人差し指、中指、薬指、小指や、子供の指に対して使用する際には、最初に、側方接着面１ａ，１ｂの長さを複数から選択するように所望の切り目６ａ（６ｂ），６ａ'（６ｂ'）を選び、第一例と同様に所望の切り目６ａ（６ｂ），６ａ'（６ｂ'）を切断して側方接着面１ａ，１ｂの長さを調整する。
【００４３】
次に、パッド３を備えた粘着テープ２を貼付可能にするように、第二のセパレータ５を粘着テープ２から剥離し、粘着テープ２の他方の側方接着面１ｂを露出させる。続いて女性の人差し指等の所定箇所に粘着テープ２の側方接着面１ｂを貼付する。更に第一のセパレータ４の摘まみ部４ａを摘まんで第一のセパレータ４を粘着テープ２から剥離し、粘着テープ２の一方の側方接着面１ａを露出させる。そして粘着テープ２を巻き付ける。
【００４４】
ここで、第二例の絆創膏は、粘着テープ２の貼付前に、両側の側方接着面１ａ，１ｂの切り目６ａ（６ｂ），６ａ'（６ｂ'）を切断して長さを調整し、粘着テープ２を貼付しても良い。また第二例の絆創膏は、一つの側方接着面１ｂの切り目６ａ（６ｂ）を切断して長さを調整し、一つの側方接着面１ｂを貼付した後、残りの側方接着面１ａの切り目６ａ'，６ｂ'を切断して長さを更に調整し、粘着テープ２を貼り付けても良い。
【００４５】
而して、このように実施の形態の第二例によれば、第一例と同様な作用効果を得ることができる。
【００４６】
また実施の形態の第二例において、切り目６，６'は、両方の側方接着面１ａ，１ｂに形成されると、両方の側方接着面１ａ，１ｂの長さを調整することにより、粘着テープ２の長さを調整し得る自由度が増し、様々な指の太さに容易に対応することができる。
【００４７】
尚、本発明の絆創膏は、上述の図示例にのみ限定されるものではなく、切り目により側方接着面の長さを調整し得るものならば他の構成でも良いこと、その他、本発明の要旨を逸脱しない範囲内において種々変更を加え得ることは勿論である。
【符号の説明】
【００４８】
１    接着面
１ａ    一方の側方接着面
１ｂ    他方の側方接着面
２    粘着テープ
３    パッド
４    第一のセパレータ
５    第二のセパレータ
６    切り目
６'    切り目
６ａ    第一の切り目
６ｂ    第二の切り目
６ａ'    第一の切り目
６ｂ'    第二の切り目
【図１】
2018027175.tif 000003
【図２】
2018027175.tif 000004
【図３】
2018027175.tif 000005
【図４】
2018027175.tif 000006
【図５】
2018027175.tif 000007
【図６】
2018027175.tif 000008
【図７】
2018027175.tif 000009
【図８】
2018027175.tif 000010
【図９】
2018027175.tif 000011
【図１０】
2018027175.tif 000012
【図１１】
2018027175.tif 000013
【図１２】
2018027175.tif 000014
【図１３】
2018027175.tif 000015
【図１４】
2018027175.tif 000016
【図１５】
2018027175.tif 000017